(57)【特許請求の範囲】
【請求項１】
本体ケースの一側面に対して、一端部が支軸によって開閉可能に支持されると共に、前記支軸の長さ方向に直交する方向にスライド可能に取り付けられた開閉蓋と、前記開閉蓋の前面に沿ってそれぞれ対向する方向にスライド可能に配置された一対のロック解除ノブと、前記開閉蓋を閉じた状態において、前記開閉蓋を一方向にスライド動作させることにより、開閉蓋の自由端側を係止して開閉蓋をロック状態にする前記本体ケース側に形成された係止部と、が備えられ、
開閉蓋のロック状態において、前記一対のロック解除ノブをそれぞれスライド操作することで、前記開閉蓋の他方向へのスライド動作を可能にし、開閉蓋がロック解除される開閉蓋のロック装置であって、
前記開閉蓋を閉じた状態における前記一対のロック解除ノブの裏面には、角柱状の突起を備えたノブガイドが、本体ケース側にそれぞれ配置されると共に、前記ロック解除ノブの裏面にそれぞれ突出して形成された突出ピンの側面が、前記各ノブガイドに形成された角柱状の突起の直交する２つの側面のいずれかに沿ってそれぞれ位置するように構成され、前記各突出ピンが、前記角柱状の突起に形成された第１の側面に沿ってそれぞれ位置する時に、前記開閉蓋のスライド動作を可能にし、前記各突出ピンが、前記角柱状の突起に形成された第２の側面に沿ってそれぞれ位置する時に、前記開閉蓋のスライド動作を不可能にすることを特徴とする開閉蓋のロック装置。
【請求項２】
前記開閉蓋を閉じた場合において、前記一対のロック解除ノブの裏面に突出して形成された各突出ピンの先端部が、前記各ノブガイドに備えられた角柱状の突起の先端部にそれぞれ当接されるように構成され、前記各ノブガイドに備えられた角柱状の突起の先端部には、前記ロック解除ノブの突出ピンを、前記角柱状の突起の前記第１の側面に沿って落とし込む傾斜面がそれぞれ形成されていることを特徴とする請求項１に記載された開閉蓋のロック装置。
【請求項３】
前記ロック解除ノブのスライド方向と、前記開閉蓋のスライド方向とは、直交する関係に設定されていることを特徴とする請求項１または２に記載された開閉蓋のロック装置。
【請求項４】
前記ロック解除ノブを、前記開閉蓋の外側に向かって付勢するスプリングが具備されていることを特徴とする請求項１ないし３のいずれか１項に記載された開閉蓋のロック装置。
【請求項５】
前記ロック解除ノブの表面には２つの突起が形成され、第１の突起は前記ロック解除ノブのスライド方向において指が掛かるように配置され、第２の突起は開閉蓋のスライド方向において指が掛かるように配置されていることを特徴とする請求項１ないし４のいずれか１項に記載された開閉蓋のロック装置。
【請求項６】
前記ロック解除ノブの表面には１つの突起が形成され、前記突起は前記本体ケースの中心から外側に向かって傾斜する線状の突起であることを特徴とする請求項１ないし４のいずれか１項に記載された開閉蓋のロック装置。
【請求項７】
前記第１の突起と第２の突起はそれぞれ端部において直交して配置され、右側に位置するロック解除ノブの第１の突起と第２の突起はＬ字を形成し、左側に位置するロック解除ノブの第１の突起と第２の突起は左右が反転した逆Ｌ字を形成することを特徴とする請求項５に記載された開閉蓋のロック装置。
【請求項８】
開閉蓋の自由端側を係止して開閉蓋をロック状態にする本体ケース側に形成された前記係止部は、本体ケースに形成された開口縁の内側面であることを特徴とする請求項１または２に記載された開閉蓋のロック装置。
【発明の詳細な説明】
【技術分野】
【０００１】
この発明は、携帯用電子機器などにおける例えば電池収容部を覆う開閉蓋のロック装置に関する。
【背景技術】
【０００２】
携帯用の電子機器は、ケース本体の一部に電池収容部を備え、この電池収容部に乾電池あるいは蓄電池を収容して機器の動作電源としている。
また前記電池収容部には、収容された乾電池等を覆う開閉蓋が備えられている。この開閉蓋の一端部は、前記ケース本体に対してヒンジ機構により軸支されている。そして、前記開閉蓋の他端部の自由端側には、前記ケース本体に対して開閉蓋が閉じられた状態でロックすることができるロック装置が備えられている。
【０００３】
前記した電池開閉蓋のロック装置としては、開閉蓋側にロック爪が形成され、ケース側に前記ロック爪が係合する係合孔を備えた基本的な構成を挙げることができる。これによると、開閉蓋側のロック爪が移動しつつケース本体側の係合孔に嵌まり込むことで、開閉蓋が閉じられた状態でロック装置はロックされる。また前記ロック爪が形成された自由端側を少し力を込めて引き開けることで、前記ロック爪が変形してケース側の係合孔から外れ、ロック状態を解除することができる。
前記した電池開閉蓋のロック装置の構成は、例えば特許文献１に開示されている。
【０００４】
前記した開閉蓋のロック装置によると、ケース本体もしくは開閉蓋に対して比較的小さな衝撃や振動等が加わることによっても、開閉蓋のロックが外れ易い。これにより電池収容部から電池が脱落して電子機器の動作不能を招く。
【０００５】
そこで、ロック爪を備えたロックレバーを開閉蓋にスライド可能に装着し、前記ロックレバーに対してロック状態を保持するためのコイルバネを備えた電池開閉蓋のロック装置が特許文献２に開示されている。
この特許文献２に開示された開閉蓋のロック装置においては、前記ロックレバーに解除ノブが一体に形成され、前記解除ノブが開閉蓋上に突出して配置されている。
したがって解除ノブを操作することにより、ロックレバーをスライドさせて開閉蓋のロック解除を行うことができ、ロック解除の操作性を向上させることができる。
【０００６】
そして、特許文献２に開示された開閉蓋によると、前記したコイルバネによってロックレバーを一方向（ロック爪がキャビネット本体側に当接する方向）に付勢させた構成が採用されている。したがって、前記した特許文献１に開示された開閉蓋のロック装置に比較して、開閉蓋のロック状態が外れ易いという問題を改善することができる。
【先行技術文献】
【特許文献】
【０００７】
【特許文献１】特開平８−４５４９０号公報
【特許文献２】特開平１１−２５９４１号公報
【発明の概要】
【発明が解決しようとする課題】
【０００８】
ところで、乾電池等で動作する携帯用の電子機器の一つに、ワイヤレスマイクロホンシステムのトランスミッタを例示することができる。このトランスミッタは、例えば舞台やスタジオなどにおける拡声手段として多用されている。これは出演者の腰ベルトに装着して利用されることからベルトパック型トランスミッタと呼ばれることもある。
【０００９】
そして、出演者が前記したトランスミッタを、例えば腰ベルトに装着した状態で比較的動きの激しい演劇などを演じた場合には、しばしば予想外の状態で前記トランスミッタの電池蓋が開いて電池が脱落するという課題があった。このような電池の脱落は当然ながら出演者の声の拡声を不能にする。
【００１０】
そこで、前記した特許文献２に開示されたロックレバーを二重に設けて、二つのロックレバーがスライドされた時に電池蓋が開放できるような工夫を施した構成も提案されている。しかしながら、特許文献２に開示されているように電池蓋の内側に、電池を保持するコイルばね接点の反力が加わる構造のものにおいては、何らかの原因で一方のロックレバーが解除状態になされたまま、電池蓋が斜めに浮いた状態で保持される場合がある。このような場合には、他方のロックレバーに何らかの力が作用した瞬間に、電池蓋が開放するという問題が発生する。また、前記コイルばね接点の反力が加わる構造以外においても、激しい動きによって電池が揺さぶられる。このとき、電池が前記蓋を押し開ける方向に急激な動きが発生すると、電池に作用する慣性力や電池蓋と電池が衝突するなど様々な原因により、電池蓋が開放し、電池が飛び出す。
したがって、前記したようにロックレバーをたとえ二重に設けても、電池蓋が不用意に開放するという問題が発生し、開閉蓋のロック装置の信頼性を向上させるには、さらなる工夫が必要となる。
【００１１】
この発明は、従来の開閉蓋のロック装置における前記した問題点を解消するためになされたものであり、一対のロック解除ノブのスライド動作と共に、開閉蓋全体のスライド動作を組み合わせることにより、開閉蓋のロック解除を可能にしようとするものである。
これにより開閉蓋の不用意な開放を防止することができると共に、開閉蓋のロック操作およびロック解除操作に際しては、良好な操作性を備えた開閉蓋のロック装置を提供することを目的とするものである。
【課題を解決するための手段】
【００１２】
前記した課題を達成するためになされたこの発明に係る開閉蓋のロック装置は、本体ケースの一側面に対して、一端部が支軸によって開閉可能に支持されると共に、前記支軸の長さ方向に直交する方向にスライド可能に取り付けられた開閉蓋と、前記開閉蓋の前面に沿ってそれぞれ対向する方向にスライド可能に配置された一対のロック解除ノブと、前記開閉蓋を閉じた状態において、前記開閉蓋を一方向にスライド動作させることにより、開閉蓋の自由端側を係止して開閉蓋をロック状態にする前記本体ケース側に形成された係止部とが備えられ、開閉蓋のロック状態において、前記一対のロック解除ノブをそれぞれスライド操作することで、前記開閉蓋の他方向へのスライド動作を可能にし、開閉蓋がロック解除される開閉蓋のロック装置であって、前記開閉蓋を閉じた状態における前記一対のロック解除ノブの裏面には、角柱状の突起を備えたノブガイドが、本体ケース側にそれぞれ配置されると共に、前記ロック解除ノブの裏面にそれぞれ突出して形成された突出ピンの側面が、前記各ノブガイドに形成された角柱状の突起の直交する２つの側面のいずれかに沿ってそれぞれ位置するように構成され、前記各突出ピンが、前記角柱状の突起に形成された第１の側面に沿ってそれぞれ位置する時に、前記開閉蓋のスライド動作を可能にし、前記各突出ピンが、前記角柱状の突起に形成された第２の側面に沿ってそれぞれ位置する時に、前記開閉蓋のスライド動作を不可能にすることを特徴とする。
これに加えて、前記開閉蓋を閉じた場合において、前記一対のロック解除ノブの裏面に突出して形成された各突出ピンの先端部が、前記各ノブガイドに備えられた角柱状の突起の先端部にそれぞれ当接されるように構成され、前記各ノブガイドに備えられた角柱状の突起の先端部には、前記ロック解除ノブの突出ピンを、前記角柱状の突起の前記第１の側面に沿って落とし込む傾斜面がそれぞれ形成された構成が採用される。
【００１３】
この場合、前記ロック解除ノブのスライド方向と、前記開閉蓋のスライド方向とは、望ましくは直交する関係に設定される。
また、前記開閉蓋は前記ロック解除ノブのスライド方向と前記開閉蓋のスライド方向のそれぞれに対して直交する方向に回動して開閉するように構成される。
そして、前記ロック解除ノブを、前記開閉蓋の外側に向かって付勢するスプリングが具備されていることが望ましい。
【００１４】
また好ましくは、前記ロック解除ノブの表面には２つの突起が形成され、第１の突起は前記ロック解除ノブのスライド方向において指が掛かるように配置され、第２の突起は開閉蓋のスライド方向において指が掛かるように配置される。
さらに、前記ロック解除ノブの表面には、１つの突起が形成された構成も採用することができ、前記突起は好ましくは、前記本体ケースの中心から外側に向かって傾斜する線状の突起により構成される。
【００１５】
また、好ましい形態においては、前記第１の突起と第２の突起はそれぞれ端部において直交して配置され、右側に位置するロック解除ノブの第１の突起と第２の突起はＬ字を形成し、左側に位置するロック解除ノブの第１の突起と第２の突起は左右が反転した逆Ｌ字が形成される。
また、開閉蓋の自由端側を係止して開閉蓋をロック状態にする本体ケース側に形成された前記係止部として、本体ケースに形成された開口縁の内側面を好適に利用することができる。
【発明の効果】
【００１８】
前記した構成の開閉蓋のロック装置によると、開閉蓋が閉じてロック状態にされた場合においては、開閉蓋に配置されたロック解除ノブを内側にスライドさせることで、前記開閉蓋をスライド可能にすることができる。
この状態でロック解除ノブのスライド方向に直交する方向に開閉蓋をスライドさせることで、この開閉蓋の自由端側を本体ケース側の係止部から外すことができ、これにより開閉蓋をロック状態から解除することができる。
【００１９】
すなわち、この発明に係る開閉蓋のロック装置によると、ロック解除ノブのスライド動作と共に、開閉蓋全体のスライド動作を組み合わせることで、開閉蓋のロック解除が可能となる。したがって、開閉蓋のロック状態を解除するには、横方向と縦方向の二次元方向のスライド動作が伴われるので、電子機器の利用中において、不用意に開閉蓋のロックが外れ、例えば乾電池等が脱落するという問題を解消することができる。
【００２０】
しかも、開閉蓋のロック操作およびロック操作解除は比較的単純である。したがってロック操作およびロック解除操作の一度の習得により、迷いなく同様の操作を繰り返すことができるなど、良好な操作性を備えた開閉蓋のロック装置を提供することができる。
【図面の簡単な説明】
【００２１】
【図１】この発明に係る開閉蓋のロック装置を備えた電子機器の全体構成を示す分解斜視図である。
【図２】開閉蓋が開放されている状態を示す電子機器の斜視図である。
【図３】開閉蓋を閉じて軽く押し付けた状態を示す電子機器の斜視図である。
【図４】図３に示す状態において開閉蓋を上に向かってスライドさせた状態を示す電子機器の斜視図である。
【図５】開閉蓋がロックされた状態を示す電子機器の斜視図である。
【図６】開閉蓋をロックする第１段階の状態における要部を３つの視点で見た断面図である。
【図７】同じく第２段階の状態における要部を３つの視点で見た断面図である。
【図８】同じく第３段階の状態における要部を３つの視点で見た断面図である。
【図９】開閉蓋がロックされた状態における要部を３つの視点で見た断面図である。
【図１０】ロック解除ノブの他の例を示した電気機器の斜視図である。
【図１１】ロック解除ノブのその他の例を示した電気機器の斜視図である。
【発明を実施するための形態】
【００２２】
この発明に係る開閉蓋のロック装置について、ワイヤレスマイクロホンシステムのトランスミッタに適用した例に基づいて説明する。
図１に示すように、トランスミッタの外郭を構成する本体ケース１は、全体が偏平な直方体状に形成されており、その上端部には音声信号の送信アンテナ２が取り付けられている。また本体ケース１の前面上部にはディスプレイ３が装着されており、このディスプレイ３の下側におけるケース前面の大部分を占めるように開口部４が形成されている。
そして、この開口部４には乾電池Ｂの収容室と、操作ボタン等を配列した内装部材５が配置されている。
【００２３】
前記本体ケース１の前面に形成された開口部４を塞ぐことができる開閉蓋６が備えられている。この開閉蓋６には、その下端部の両側に一対の軸孔７が形成される。この一対の軸孔７に挿入される支軸８によって開閉蓋６は回動可能に支持される。
そして、前記支軸８は、本体ケース１の下端部に沿って形成された支軸ホルダー９に装着されることで本体ケース１に取り付けられている。
【００２４】
なお、前記開閉蓋６の下端部に形成された一対の軸孔７は、開閉蓋６の上下方向に沿って軸孔を溝状に広げた長孔状に形成されている。すなわち前記一対の軸孔７はそれぞれ長孔状に形成されているので、開閉蓋６は前記支軸の長さ方向に直交する方向、すなわち開閉蓋６の前面に沿って上下にスライドできるように前記支軸８に取り付けられている。
【００２５】
そして、前記開閉蓋６の上端部である自由端側には、薄肉状の段部６ａが直線状に形成されている。前記開閉蓋６を閉じた状態で開閉蓋６を上部に向かってスライドさせた時、本体ケース１側に形成された上部開口縁の内側面１ａに、前記薄肉状の段部６ａが入り込むように構成されている。
すなわち、本体ケース１に形成された上部開口縁の内側面１ａは、後述するとおり、開閉蓋６の自由端側を係止して、開閉蓋６をロック状態にする係止部（開口縁内側面１ａと同一符号で示す。）として機能することになる。
【００２６】
前記開閉蓋６の上端部付近の左右には、四辺形状の一対の凹み部１１が形成されており、この一対の凹み部１１の中央部には、それぞれ貫通穴１２が形成されている。そして、前記一対の凹み部１１には、ほぼ正方形状に形成されたロック解除ノブ１３が、開閉蓋６の前面側からそれぞれ取り付けられている。
【００２７】
また、前記ロック解除ノブ１３が位置する前記開閉蓋６を介した裏面側には、ほぼ正方形状に形成されたスライドプレート１４がそれぞれ配置されている。そして、各スライドプレート１４の裏面側から装着されるねじ１５によって、前記スライドプレート１４のそれぞれは、ロック解除ノブ１３に結合されている。
この構成によって、前記一対のロック解除ノブ１３は、前記した四辺形状の一対の凹み部１１に沿って、開閉蓋６の幅方向にのみスライドできるように開閉蓋６に取り付けられている。したがって、一対のロック解除ノブ１３のスライド方向と、前記した開閉蓋６のスライド方向は、直交する関係に設定されている。
【００２８】
また、前記ロック解除ノブ１３と、スライドプレート１４との間に形成された前記一対の貫通穴１２に続いて、開閉蓋６の中央部側に向かってそれぞれ溝孔が形成されている。この溝孔の端部には、小突起１６がそれぞれ形成されている。この小突起１６には、コイルスプリング１７の一端部が取り付けられて、前記溝孔に収容されている。そして、各コイルスプリング１７の他端部は、それぞれのロック解除ノブ１３の裏面の一部に当接されて、前記一対のロック解除ノブ１３に対して、開閉蓋６の両外側に向かう付勢力をそれぞれ与えている。
【００２９】
なお、前記した一対のロック解除ノブ１３のうち、向かって右側に位置するロック解除ノブの表面には、上下方向に突出する第１の突起と左右方向に突出する第２の突起により、Ｌ字状に突出した指を掛ける突起１３ａが形成され、左側に位置するロック解除ノブの表面には、左右が反転した逆Ｌ字状に突出した指を掛ける突起１３ａが形成されている。
これは、ロック状態になされた開閉蓋６のロック解除を行うに際して、左右一対のロック解除ノブ１３の中央部側へのスライド操作と、前記開閉蓋６の下側に向けたスライド操作の操作性を向上させることに寄与できる。
【００３０】
一方、前記本体ケース１の開口部４内に配置された内装部材５の両側には、その両外側から中央部に向かって切り込み溝を備えた一対の凹陥部１８が形成されている。そして、前記一対の凹陥部１８には、ノブガイド１９が内装部材５の両側から装着されて取り付けられている。
このノブガイド１９は、プレート状部材の前面に角柱状の突起２０が一体に形成されることで構成されている。前記プレート状部材が前記切り込み溝内に挿入されることで、前記ノブガイド１９が凹陥部１８に装着されて固定されている。
なお、前記ノブガイド１９は、支軸８を回転中心として前記開閉蓋６を閉じた時に、開閉蓋６に取り付けられたロック解除ノブ１３の背面側に位置するように構成されている。
【００３１】
図２〜図５は、前記した構成の開閉蓋のロック装置について、開閉蓋６が開放された状態から開閉蓋６が閉じられてロック状態になされるまでの過程を、順に示したものである。以下ロック装置の主要部を示す図６〜図９と共に、開閉蓋のロック装置の作用について説明する。
なお、以下に示す図２〜図５においては、図に現れる各部材のうち主要な部材のみに、図１と同一の符号を付けて示している。
【００３２】
また図６〜図９の各（Ａ）〜（Ｃ）は、いずれも開閉蓋のロック装置の動きを、それぞれ３つの異なる方向から見た断面図で示している。
すなわち図６（Ａ）は、開閉蓋６を閉じた状態における開閉蓋６の裏面側におけるノブガイド１９の直前位置における断面図であり、これは図６（Ｂ）におけるａ−ａ線より矢印方向に見た状態の断面図である。これは図７（Ａ）、図８（Ａ）、図９（Ａ）も同様である。
また図６（Ｂ）は、開閉蓋６を閉じた状態におけるロック解除ノブ１３の中央部における縦断面図であり、これは図６（Ａ）におけるｂ−ｂ線より矢印方向に見た状態の断面図である。これは図７（Ｂ）、図８（Ｂ）、図９（Ｂ）も同様である。
【００３３】
さらに図６（Ｃ）は、開閉蓋６を閉じた状態におけるロック解除ノブ１３の中央部の横断面図であり、これは図６（Ａ）におけるｃ−ｃ線より矢印方向に見た状態の断面図である。これは図７（Ｃ）、図８（Ｃ）、図９（Ｃ）も同様である。
なお図６〜図９は、向かって右側に配置されたロック解除ノブ１３に施されたロック装置の動きを示しているが、向かって左側に配置されたロック解除ノブ１３に施されたロック装置は、これとは左右が対照的に動作することになり、したがって図示は省略する。
【００３４】
先ず、開閉蓋６を閉じる場合には、図２に示されているように開閉蓋６の自由端側を円弧の矢印で示した方向に回動する。これにより開閉蓋６は図３に示すように本体ケース１の前面に形成された開口部４を閉塞する。
この時のロック装置の状態が図６に示されている。なお図６に示すように前記したロック解除ノブ１３の裏面には、先端部が半球状に形成された円柱状の突出ピン１３ｂがロック解除ノブ１３と一体に形成されている。
したがって、前記開閉蓋６を閉じることにより、ロック解除ノブ１３の裏面に形成された前記突出ピン１３ｂの先端部が、前記したノブガイド１９に形成された角柱状突起２０の上端部に当接する。
【００３５】
前記角柱状突起２０の上端部には、図６（Ａ）および（Ｃ）に示すように傾斜面２０ａが形成されている。前記ロック解除ノブ１３に形成された突出ピン１３ｂの半球状先端部は、角柱状突起２０の傾斜面２０ａに当接した状態になされる。
この状態で図３に示すように閉じられた開閉蓋６の前面を軽く押し込むと、前記突出ピン１３ｂの先端部が前記傾斜面２０ａを滑りながら、角柱状突起２０の第１の側面２０ｂに沿って落ち込む。この様子が図７（Ａ）および（Ｃ）に矢印で示されている。
【００３６】
したがって、図３に示したように開閉蓋６の前面に取り付けられた一対のロック解除ノブ１３は、互いに内側に向かってスライドする。
この状態においては、図７に示すようにロック解除ノブ１３の突出ピン１３ｂは、角柱状突起２０の第１の側面２０ｂに当接しており、しかも角柱状突起２０の第１の側面２０ｂは、本体ケース１の上下方向に沿って形成されている。
これにより、図４に示したように前記開閉蓋６を、上向きにスライドさせることができる。
【００３７】
図４に示したように開閉蓋６を上向きにスライドさせると、例えば図８（Ｂ）に示されているように、開閉蓋６の上端部に直線状に形成された薄肉状の段部６ａが、本体ケース１側に形成された上部開口縁の内側面（係止部）１ａに入り込む。これにより開閉蓋６の開放は阻止されることになる。
この時、前記開閉蓋６に取り付けられているロック解除ノブ１３の突出ピン１３ｂも上向きにスライドして、図８（Ａ）に矢印で示す位置に移動する。
【００３８】
ロック解除ノブ１３の突出ピン１３ｂが図８（Ａ）に示す位置に移動すると、ロック解除ノブ１３を外側に向かって付勢する前記したコイルスプリング１７は定常状態に戻ろうとする。この作用により、ロック解除ノブ１３の突出ピン１３ｂは、図９（Ａ）および（Ｃ）に矢印で示すように角柱状突起２０に形成された第２の側面２０ｃに沿って移動する。
すなわち、ロック解除ノブ１３の裏面に形成された突出ピン１３ｂは、角柱状突起２０の第１と第２の直交する２つの側面２０ｂから２０ｃに沿って移動することになる。
【００３９】
この結果、一対のロック解除ノブ１３は、前記コイルスプリング１７の作用により、図５に示したように開閉蓋６の両外側の位置に向かって移動する。
これにより、ロック解除ノブ１３の裏面に形成された突出ピン１３ｂは、角柱状突起２０の第２の側面２０ｃに対峙して位置することになる。
したがって、前記開閉蓋６は下側に向かうスライド動作は不可能となり、前記開閉蓋６はロック状態に保持される。
【００４０】
以上説明したとおり、開閉蓋６を閉じてロックする場合には、図３に示すように開閉蓋６を閉じた状態で開閉蓋６を軽く押しつけ、この状態で図４に示すように開閉蓋６を上向きにスライドさせることで、開閉蓋６をロック状態にすることができる。
また、ロック状態の開閉蓋６を開くには、開閉蓋６に取り付けられた一対のロック解除ノブ１３を互いに内側に向かってスライドさせると共に、この状態で開閉蓋６を下向きにスライドさせることで、開閉蓋６のロック状態が解除される。そして、開閉蓋６の自由端側を支軸８を中心に手前に回動させることで、開閉蓋６を開放させることができる。
【００４１】
この実施形態において、突起１３ａはＬ字を形成するように配置した構成を説明した。しかし、突起１３ａはＬ字形状に限らない。例えば、突起１３ａは十字を形成していてもよい。さらに、２つの突起によって指賭けとなる部分を構成したが、この突起は例えば図１０に示したようにケース１の中心から外側に向かって傾斜する方向、言い換えれば、ロック解除ノブのスライド方向外側に向かって傾斜する斜め線状の突起１つで構成されてもよい。また、突起１３ａの形状は、上記の他、図１１に示したように細かい凹凸状の突起を複数用いてもよく、細かい凹凸によって形成された上記Ｌ字や十字、斜め線であってもよい。
【００４２】
この発明に係る開閉蓋のロック装置によると、開閉蓋のロック操作およびロック解除操作が比較的単純で良好な操作性を備えたものとなる。
そして、開閉蓋のロック状態を解除には、一対のロック解除ノブの横方向のスライド動作と、開閉蓋の縦方向のスライド動作が伴われるので、電子機器の利用中において、不用意に開閉蓋のロックが外れるという問題を解消することができるなど、前記した発明の効果の欄に記載したとおりの作用効果を得ることができる。
【符号の説明】
【００４３】
１      本体ケース
１ａ    係止部
２      送信アンテナ
４      開口部
５      内装部材
６      開閉蓋
６ａ    薄肉状段部
７      軸孔（長孔）
８      支軸
１１    凹み部
１２    貫通穴
１３    ロック解除ノブ
１３ａ  指掛け突起
１３ｂ  突出ピン
１４    スライドプレート
１６    小突起
１７    コイルスプリング
１９    ノブガイド
２０    角柱状突起
２０ａ  傾斜面
２０ｂ  角柱状の第１側面
２０ｃ  角柱状の第２側面
Ｂ      乾電池
【図１】
0006414880.tif 000002
【図２】
0006414880.tif 000003
【図３】
0006414880.tif 000004
【図４】
0006414880.tif 000005
【図５】
0006414880.tif 000006
【図６】
0006414880.tif 000007
【図７】
0006414880.tif 000008
【図８】
0006414880.tif 000009
【図９】
0006414880.tif 000010
【図１０】
0006414880.tif 000011
【図１１】
0006414880.tif 000012